(57)【要約】【課題】複数の生体の画像を読み取ることにより本人認証を行うための画像読取装置及び生体認証装置に関し、簡単な構成で複数の生体画像を検出できる画像読取装置及び生体認証装置を提供することを目的とする。【解決手段】  本発明は、被検出体が載置される被検出面と、被検出面に対して略平行に成形された第１の面と、被操作面に対して傾斜して入出射された光を出力する第２の面とを有するプリズムと、第１の面の画像を検出する第１の画像検出手段と、第２の面の画像を検出する第２の画像検出手段とを有することを特徴とする。【選択図】図２
2006065400.tif 000002
【特許請求の範囲】
【請求項１】
被検出体が載置される被検出面と、該被検出面に対して略平行に成形された第１の面と、前記被操作面に対して傾斜して入出射された光を出射する第２の面とを有するプリズムと、
前記第１の面の画像を検出する第１の画像検出手段と、
前記第２の面の画像を検出する第２の画像検出手段とを有することを特徴とする画像読取装置。
【請求項２】
前記プリズムの前記第１の面に光を供給する第１の光源を有することを特徴とする請求項１記載の画像読取装置。
【請求項３】
前記プリズムの前記被検出面上に配置される被検出体を透過して前記被検出面に光を供給する第２の光源を有することを特徴とする請求項１又は２記載の画像読取装置。
【請求項４】
前記第１の画像検出手段は、前記第１の面から出射される光のうち赤外光を透過させる赤外フィルタと、
前記赤外フィルタを透過した赤外光の画像を検出するイメージセンサとを有することを特徴とする請求項１乃至３のいずれか一項記載の画像読取装置。
【請求項５】
前記第１の画像検出手段で検出する画像と、前記第２の画像検出手段で検出する画像とは前記被検出体の異なる部位であることを特徴とする請求項１乃至４のいずれか一項記載の画像読取装置。
【請求項６】
前記第２の画像検出手段を前記第１の画像検出手段と略平行に配置し、前記第２の画像検出手段と前記第２の面との間に前記第２の面の画像を前記第２の画像検出手段に向けて折曲させるプリズムを有することを特徴とする請求項１乃至５のいずれか一項記載の画像読取装置。
【請求項７】
前記第１の画像検出手段と前記第２の画像検出手段とを一つの画像検出手段で構成し、
前記画像検出手段を前記第１の面と前記第２の面との間で移動させる移動手段を有することを特徴とする６記載の画像読取装置。
【請求項８】
前記プリズムは、前記第１の面と前記第２の面とを直交するように配置されており、
前記被検出面からの画像を前記第１の面で反射させ、
前記第１の面で反射された光を前記第２の面方向に反射させる反射面を有することを特徴とする請求項１乃至５のいずれか一項記載の画像読取装置。
【請求項９】
前記第１の画像検出手段と前記第２の画像検出手段とを平行に配置し、
前記第２の面から出射された画像を前記第２の画像検出手段方向に折曲させる反射板を有することを特徴とする請求項８記載の画像読取装置。
【請求項１０】
被検出体が載置される被検出面と、該被検出面に対して略平行に成形された第１の面と、前記被操作面に対して傾斜して入出射された光を出射する第２の面とを有するプリズムと、
前記第１の面の画像を検出する第１の画像検出手段と、
前記第２の面の画像を検出する第２の画像検出手段とを有することを特徴とする生体認証装置。
【請求項１１】
前記プリズムの前記第１の面に光を供給する第１の光源を有することを特徴とする請求項１０記載の生体認証装置。
【請求項１２】
前記プリズムの前記被検出面上に配置される被検出体を透過して前記被検出面に光を供給する第２の光源を有することを特徴とする請求項１０又は１１記載の生体認証装置。
【請求項１３】
前記第１の画像検出手段は、前記第１の面から出射される光のうち赤外光を透過させる赤外フィルタと、
前記赤外フィルタを透過した赤外光の画像を検出するイメージセンサとを有することを特徴とする請求項１０乃至１２のいずれか一項記載の生体認証装置。
【請求項１４】
前記第１の画像検出手段で検出する画像と、前記第２の画像検出手段で検出する画像とは前記被検出体の異なる部位であることを特徴とする請求項１０乃至１３のいずれか一項記載の生体認証装置。
【請求項１５】
前記第２の画像検出手段を前記第１の画像検出手段と略平行に配置し、前記第２の画像検出手段と前記第２の面との間に前記第２の面の画像を前記第２の画像検出手段に向けて折曲させるプリズムを有することを特徴とする請求項１０乃至１４のいずれか一項記載の生体認証装置。
【請求項１６】
前記第１の画像検出手段と前記第２の画像検出手段とを一つの画像検出手段で構成し、
前記画像検出手段を前記第１の面と前記第２の面との間で移動させる移動手段を有することを特徴とする請求項１５記載の生体認証装置。
【請求項１７】
前記プリズムは、前記第１の面と前記第２の面とを直交するように配置されており、
前記被検出面からの画像を前記第１の面で反射させ、
前記第１の面で反射された光を前記第２の面方向に反射させる反射面を有することを特徴とする請求項１０乃至１６のいずれか一項記載の生体認証装置。
【請求項１８】
前記第１の画像検出手段と前記第２の画像検出手段とを平行に配置し、
前記第２の面から出射された画像を前記第２の画像検出手段方向に折曲させる反射板を有することを特徴とする請求項１７記載の生体認証装置。
【発明の詳細な説明】
【技術分野】
【０００１】
本発明は、画像読取装置及び生体認証装置に係り、特に、複数の生体の画像を読み取ることにより本人認証を行うための画像読取装置及び生体認証装置に関する。
【背景技術】
【０００２】
近年、コンピュータネットワークや携帯電話等の情報・通信機器の普及が著しい。今後携帯コンピュータから企業内の情報ネットワークにアクセスして情報を引き出したり、ネットワークを介して決済を行ったり、様々なサービスを受けるという用途が増加するものと思われる。
【０００３】
その場合、コンピュータからアクセスしたのが確かに本人であるという本人確認が重要となってくる。これまでは、ＩＤ／パスワードのように人間の記憶による本人認証方法、磁気カードのように携帯物を利用して本人認証を行う方法が主流であった。
【０００４】
しかし、これからは例えば、指紋や静脈パターンなど個人の生態の特徴、いわゆる、バイオメトリクスを本人認証として用いる技術が注目されている。
【０００５】
バイオメトリクスを用いた本人認証のうち最も普及しているのが、指紋認証である。しかし、指紋認証は、指紋のパターンの特徴を数値化し、認証に使用するものである（例えば、特許文献１参照）。しかし、まれに生まれつき指紋のない人には適用できない。また、職業上、指紋が磨耗し、認証できないほど薄くなっている人が存在している。このような場合に対応するために、認証の閾値を低下させ必要がでてくる。認証の閾値を低下させると、全体のセキュリティーが低下するなどの問題点がでてくる。
【０００６】
このため、複数の生体認証方式を組み合わせることで、認証に閾値を低下させることなく、認証を行う方法が考えられている。このような認証方式に対応するために、例えば、指紋パターンを読み取るために指紋センサと静脈パターンを読み取るための静脈センサとを組み合わせた、いわるゆ、マルチセンサが提案されている（例えば、特許文献２）。
【０００７】
【特許文献１】特開平７−３３４６４９号公報
【特許文献２】特開２００３−３０３１７８号公報
【発明の開示】
【発明が解決しようとする課題】
【０００８】
しかるに、従来の生体認証装置を行う場合のマルチセンサは、各々に生体画像を検出するためのセンサを単に組み合わせる構成であったため、構造が複雑となるとともに、大型になるなどの課題があった。
【０００９】
本発明は上記の点に鑑みてなされたもので、簡単な構成で複数の生体画像を検出できる画像読取装置及び生体認証装置を提供することを目的とする。
【課題を解決するための手段】
【００１０】
本発明は、被検出体が載置される被検出面と、被検出面に対して略平行に成形された第１の面と、被操作面に対して傾斜して入出射された光を出射する第２の面とを有するプリズムと、第１の面の画像を検出する第１の画像検出手段と、第２の面の画像を検出する第２の画像検出手段とを有することを特徴とする。
【発明の効果】
【００１１】
本発明によれば、装置を小型化することができる等の特長を有する。
【発明を実施するための最良の形態】
【００１２】
〔第１実施例〕
〔構成〕
図１は本発明の第１実施例のブロック構成図を示す。
【００１３】
本実施例の生体認証装置１は、画像読取装置１１、ホスト装置１２、ファイル装置１３から構成される。
画像読取装置１１は、指紋画像及び静脈画像を読み取り、予め登録された指紋画像及び静脈画像とホスト装置１２に送信する。ホスト装置１２は、画像読取装置１１から供給された指紋画像及び静脈画像に基づいて個人認証処理を実行する。ホスト装置１２は、個人認証処理によって個人が承認された場合にはファイル装置１３へのアクセスを許可する。
【００１４】
次に画像読取装置１１について詳細に説明する。
【００１５】
図２は画像読取装置１１の斜視図、図３は画像読取装置１１の横断面図を示す。
【００１６】
画像読取装置１１は、プリズム２１、ホルダ２２、メイン基板２３、赤外フィルタ２４、レンズ２５、イメージセンサ２６、発光ダイオード２７、サブ基板２８、レンズ２９、イメージセンサ３０、フレキシブル基板３１、信号処理回路３２、記憶装置３３から構成される。
【００１７】
プリズム２１は、少なくとも被検出面２１ａ、及び、第１の面２１ｂ、並びに、第２の面２１ｃを有する。プリズム２１は、ホルダ２２によって、被検出面２１ａ及び第１の面２１ｂがメイン基板２３に対して略平行となるようにメイン基板２３上に保持される。被検出面２１ａは、矢印Ｚ１、Ｚ２方向に直交する面であり、被検出体である指Ｆが接触する面である。
【００１８】
第１の面２１ｂは、被検出面２１ａに平行で、かつ、被検出面２１ａに対向する位置に配置された面である。メイン基板２３は、この第１の面２１ｂに平行に、かつ、対向するように配置される。第１の面２１ｂとメイン基板２３との間には、赤外フィルタ２４、レンズ２５、イメージセンサ２６、発光ダイオード２７が配置される。
【００１９】
赤外フィルタ２４は、第１の面２１ｂから供給された光のうち赤外域の光のみを透過する。レンズ２５は、赤外フィルタ２４を透過した光をイメージセンサ２６の検出面上に集束させる。レンズ２５により集光された光は、イメージセンサ２６の検出面に供給される。
【００２０】
これによって、イメージセンサ２６には、第１の面２１ｂ上の赤外画像が投影される。イメージセンサ２６は、第１の面２１ｂ上の赤外画像を電気信号に変換する。
【００２１】
一方、発光ダイオード２７は、照明用の光源であり、赤外フィルタ２４及びレンズ２５の周囲に複数個配置されている。発光ダイオード２７は、信号処理回路３２から供給される駆動信号により赤外光を含む光を発光し、プリズム２１の第１の面２１ｂに向けて出射する。発光ダイオード２７から第１の面２１ｂに供給された光は、プリズム２１を通って被検出面２１ａに供給される。
【００２２】
プリズム２１の第２の面２１ｃは、その面に直交する方向が被検出面２１ａ及び第１の面２１ｂに直交する方向である矢印Ｚ１、Ｚ２方向に対して角度θだけ傾斜して形成されている。第２の面２１ｃには、サブ基板２８が略平行に配置されている。サブ基板２８は、ホルダ２２により、第２の面２１ｃに略平行になるように保持されている。また、ホルダ２２には、第２の面２１ｃとサブ基板２８との間に挿入されるようにレンズ２９が保持されている。サブ基板２８には、第２の面２１ｃに対向する位置にイメージセンサ３０が搭載されている。
【００２３】
レンズ２９は、第２の面２１ｃの画像を集光してイメージセンサ３０に投影する。イメージセンサ３０は、第２の面２１ｃ上の画像を電気信号に変換する。
【００２４】
サブ基板２８は、フレキシブル基板３１によりメイン回路基板２３に接続されている。メイン基板２３には、少なくとも信号処理回路３２及び記憶装置３３などを構成するＩＣなどの電子部品が搭載されている。
【００２５】
信号処理回路３２は、画像読取装置１１の制御を行う。記憶装置３３には、静脈画像及び指紋画像が予め登録されている。
【００２６】
信号処理回路３２は、発光ダイオード２７に駆動信号を供給し、発光ダイオード２７を発光させる。また、信号処理回路３２は、イメージセンサ２６、２９からの電気信号から静脈画像及び指紋画像を生成する。さらに、信号処理回路３２は、取得した画像と記憶装置３３に記憶された画像とを比較し、認証を行う処理を行う。また、信号処理回路３２は、取得した画像を記憶装置３３に登録する処理を行う。
【００２７】
ホスト装置１２は、画像読取装置１１によって静脈画像及び指紋画像を承認する通知があった場合にファイル装置１３へのアクセスを許可する。
【００２８】
〔動作〕
図４は信号処理回路３２の処理フローチャートを示す。
【００２９】
信号処理回路３２は、ステップＳ１−１では入力待ち状態であり、プリズム２１の被検出面２１ａに指Ｆが載置されたか否かを監視している。信号処理回路３２は、ステップＳ１−２でプリズム２１の被検出面２１ａに指Ｆが載置されたことが検出されると、ステップＳ１−３で発光ダイオード２７を点灯状態に維持し、イメージセンサ２６で検出された電気信号を取り込み、画像生成処理を行うことにより静脈画像を取得する。このとき、静脈画像を第１の面２１ｂから取り込むことにより、静脈画像を鮮明、かつ、歪みなく取得できる。
【００３０】
信号処理回路３２は、ステップＳ１−４で取得した静脈画像を記憶装置３３に予め登録された一又は複数の静脈画像と順次に比較する。信号処理回路３２は、ステップＳ１−５で、記憶装置３３に取得した静脈画像と一致する静脈画像が存在するか否かを判定する。
【００３１】
信号処理回路３２は、ステップＳ１−５で、記憶装置３３に取得した静脈画像と一致する静脈画像が存在しない場合には、ステップＳ１−１に戻って入力待ち状態とされる。
【００３２】
また、信号処理回路３２は、ステップＳ１−５で記憶装置３３に取得した静脈画像と一致する静脈画像が存在する場合には、ステップＳ１−６で、イメージセンサ３０で検出された電気信号を取り込み、画像生成処理を行うことにより指紋画像を取得する。このとき、指紋画像を被検出面２１ａに対して傾斜した第２の面２１ｂからの画像を検出することにより、指Ｆ表面の画像、すなわち、指紋画像を鮮明に取得できる。
【００３３】
信号処理回路３２は、ステップＳ１−７で取得記憶装置３３に予め登録された一又は複数の指紋画像と順次に比較する。信号処理回路３２は、ステップＳ１−８で、記憶装置３３に取得した指紋画像と一致する指紋画像が存在するか否かを判定する。信号処理回路３２は、ステップＳ１−８で記憶装置３３に取得した指紋画像と一致する指紋画像が存在しない場合には、ステップＳ１−１に戻って入力待ち状態とされる。
【００３４】
また、信号処理回路３２は、ステップＳ１−８で記憶装置３３に取得した指紋画像と一致する指紋画像が存在する場合には、ステップＳ１−９でホスト装置１２にアクセス許可通知を送信する。
【００３５】
ホスト装置１２は、画像読取装置１１からのアクセス許可通知によりファイル装置１３へのアクセスを許可する。
【００３６】
〔効果〕
本実施例によれば、指紋画像及び静脈画像を共通のプリズム２１及び発光ダイオード２７による光源によって検出できるため、小型化が可能となる。
【００３７】
〔第１変形例〕
図５は画像読取装置１１の第１変形例の断面図を示す。同図中、図２、図３と同一構成部分には同一符号を付し、その説明は省略する。
【００３８】
本変形例の画像読取装置１１１は、静脈検出用の発光ダイオード１１２をプリズム２１の被検出面２１ａの上部、矢印Ｚ１方向側に、被検出面２１ａに対向して配置した構成とされている。
【００３９】
発光ダイオード１１２は、血液中のヘモグロビンに反応する波長の光、例えば、赤外光を含む光を出射する。発光ダイオード１１２は、基板１１３上に搭載されている。基板１１３は、ネジ１１４によりシャーシ１１５に固定されている。シャーシ１１５は、例えば、金属板を打ち抜き、折曲することにより成形されており、ベース部１２１、アーム部１２２から構成されている。ベース部１２１には、メイン基板２３がネジ１２３により固定される。
【００４０】
アーム部１２２は、支持部１３１及び保持部１３２から構成されている。支持部１３１は、ベース部１２１から矢印Ｚ１方向に延出している。保持部１３２は、支持部１３１の矢印Ｚ１方向の先端から矢印Ｘ２方向に延出している。これによって保持部１３２はベース部１２１に平行に配置される。基板１１３は、保持部１３２の矢印Ｚ２方向側にネジ１１４によって固定される。
【００４１】
基板１１３は、ワイヤ１４１によってメイン基板２３に接続されており、メイン基板２３に搭載された信号処理回路３２からの信号を発光ダイオード１１２に供給する。発光ダイオード１１２は、信号処理回路３２からの信号によって、発光する。発光ダイオード１１２で発光した光は、指Ｆの矢印Ｚ１方向側から指Ｆに入射され、指Ｆを透過して、プリズム２１の被検出面２１ａに供給される。このとき、被検出面２１ａには、発光ダイオード１１２からの光は、血管内を流れる血液中のヘモグロビンなどの成分に反応する。被検出面２１ａに供給された光は、プリズム２１を通って、第１の面２１ｂに供給される。
【００４２】
第１の面２１ｂから出射された光は、赤外フィルタ２４により、赤外光だけが透過される。これによって、血管部分が黒くなった画像が得られる。赤外フィルタ２４を通った光は、イメージセンサ２６に供給される。
【００４３】
以上のように本変形例によれば、発光ダイオード１１２を設け、指Ｆの透過光により静脈画像を検出することができる。
【００４４】
〔第２変形例〕
図６は画像読取装置１１の第２変形例の断面図を示す。同図中、図２、図３と同一構成部分には同一符号を付し、その説明は省略する。
【００４５】
本変形例の画像読取装置２１１は、プリズム２１２の構成が図２、図３とは相違する。本変形例のプリズム２１２は、第１の面２１２ａを凸状に成形することにより、レンズ２２５をプリズム２１２に一体に成形し、第２の面２１２ｂを凸状に成形することにより、レンズ２２９をプリズム２１２に一体に成形した構成とされている。
【００４６】
本変形例によれば、レンズ２２５、２２９をプリズム２１２に一体に成形することができるため、部品点数を低減できる。よって、画像読取装置２１１を安価に構成できる。組付性を向上させることができる。
【００４７】
〔第３変形例〕
図７は画像読取装置１１の第３変形例の断面図を示す。同図中、図２、図３と同一構成部分には同一符号を付し、その説明は省略する。
【００４８】
本変形例の画像読取装置３１１は、プリズム２１の第２の面２１ｃとレンズ２９との間にプリズム３１２を設け、このプリズム３１２によりプリズム２１の第２の面２１ｃから出射された光をメイン基板２３に直交する方向、矢印Ｚ２方向に折曲させることにより、レンズ２９及びイメージセンサ３０をメイン基板２３に平行に配置可能とした。
【００４９】
これによって、イメージセンサ３０がメイン基板２３上にイメージセンサ２６と並列に搭載可能となる。２つのイメージセンサ２６、３０を同一のメイン基板２３上に搭載することにより、組付性を向上させることができる。これによって、画像読取装置３１１を安価に構成できる。
【００５０】
〔第４変形例〕
図８は画像読取装置１１の第４変形例の断面図を示す。同図中、図７と同一構成部分には同一符号を付し、その説明は省略する。
【００５１】
本変形例の画像読取装置４１１は、一つのイメージセンサ４１２をスライド機構４１３により第１の面２１ｂの画像が投影される位置と第２の面２１ｃの画像が投影される位置との間でスライドさせることにより、一つのイメージセンサ４１２で静脈画像及び指紋画像を検出可能としたものである。
【００５２】
イメージセンサ４１２は、基板４２１上に搭載されている。基板４２１は、スライド機構４１３に係合しており、スライド機構４１３により矢印Ｘ１、Ｘ２方向にスライド可能とされている。また、基板４２１は、フレキシブル基板４２３によりメイン基板２３に接続されている。フレキシブル基板４２３は、イメージセンサ４１２で検出された信号をメイン基板２３に供給するための伝送線路である。
【００５３】
図９はスライド機構４１３の斜視図、図１０はスライド機構４１３の断面図、図１１はスライド機構４１３の分解斜視図を示す。
【００５４】
スライド機構４１３は、センサホルダ４３１、ガイドレール４３２、ガイド枠４３３、アクチュエータ４３４から構成される。
【００５５】
センサホルダ４３１は、係合部４４１及び突出部４４２から構成されている。係合部４４１には、イメージセンサ４１２が係合する。突出部４４２は、係合部４４１の外側から矢印Ｙ２方向に突出している。ガイドレール４３２は、メイン基板２３上に矢印Ｘ１、Ｘ２方向に延在して固定され、イメージセンサ４１２が搭載された基板４２１の矢印Ｙ２方向の端面をガイドする。また、ガイドレール４３２上面、矢印Ｚ１方向側面には、センサホルダ４３１の突出部４４２が摺動可能に接触している。
【００５６】
ガイド枠４３３は、凹部４５１、開口部４５２、溝部４５３から構成されている。ガイド枠４３３は、その断面形状が凹状に形成され、凹部４５１を構成している。凹部４５１は、矢印Ｘ１、Ｘ２方向に延在しており、イメージセンサ４１２が搭載される基板４２１が係合し、基板４２１を矢印Ｘ１、Ｘ２方向にガイドする。
【００５７】
開口部４５２は、ガイド枠４３３の底面の矢印Ｘ１、Ｘ２方向に亘って形成されており、センサホルダ４３１が係合し、センサホルダ４３１を矢印Ｘ１、Ｘ２方向にガイドする。溝部４５３は、矢印Ｙ２方向の側面を矢印Ｚ１方向に切り欠いた構成とされている。
【００５８】
溝部４５３には、ガイドレール４３２及びセンサホルダ４３１の突出部４４２が係合する。センサホルダ４３１の突出部４４２は、ガイドレール４３２と溝部４５３とで形成される開口部分からガイド枠４３３の外部に延出される。突出部４４２は、ガイド枠４３３の外部でアクチュエータ４１４と係合する。
【００５９】
アクチュエータ４１４は、リニアに駆動されるボイスコイルモータなどから構成されており、信号処理回路３２から供給される駆動信号に応じて矢印Ｘ１、Ｘ２方向に駆動し、センサホルダ４３１を矢印Ｘ１、Ｘ２方向に移動させる。
【００６０】
〔動作〕
次に信号処理回路３２の処理について説明する。
【００６１】
図１２は信号処理回路３２の処理フローチャートを示す。
【００６２】
信号処理回路３２は、ステップＳ２−１では入力待ち状態とされおり、プリズム２１の被検出面２１ａに指Ｆが載置されたか否かを監視している。
【００６３】
信号処理回路３２は、ステップＳ２−２でプリズム２１の被検出面２１ａに指Ｆが載置されたことが検出されると、ステップＳ２−３でアクチュエータを駆動し、イメージセンサ４１２を第１の面２１ｃからの画像を読取可能な位置Ｐ１に移動させる。次に信号処理回路３２は、ステップＳ２−４で発光ダイオード２７を点灯状態にし、イメージセンサ４１２で検出された電気信号を取り込み、画像生成処理を行うことにより静脈画像を取得する。このとき、静脈画像を第１の面２１ｂから取り込むことにより、静脈画像を鮮明、かつ、歪みなく取得できる。
【００６４】
次に、信号処理回路３２は、ステップＳ２−５で取得した静脈画像を記憶装置３３に予め登録された一又は複数の静脈画像と順次に比較する。信号処理回路３２は、ステップＳ２−６で記憶装置３３に取得した静脈画像と一致する静脈画像が存在するか否かを判定する。信号処理回路３２は、ステップＳ２−６で、記憶装置３３に取得した静脈画像と一致する静脈画像が存在しない場合には、ステップＳ２−１に戻って入力待ち状態とされる。
【００６５】
また、信号処理回路３２は、ステップＳ２−６で記憶装置３３に取得した静脈画像と一致する静脈画像が存在する場合には、ステップＳ２−７で、アクチュエータ４１４を駆動し、イメージセンサ４１２を第２の面２１ｂからの画像を読取可能な位置Ｐ２に移動させる。信号処理回路３２は、イメージセンサ４１２を位置Ｐ２に移動させた後、ステップＳ２−８でイメージセンサ４１２から電気信号を取り込み、画像生成処理を行うことにより指紋画像を取得する。このとき、指紋画像を被検出面２１ａに対して傾斜した第２の面２１ｂからの画像を検出することにより、指Ｆ表面の画像、すなわち、指紋画像を鮮明に取得できる。
【００６６】
信号処理回路３２は、ステップＳ２−９で、取得した指紋画像を記憶装置３３に予め登録された一又は複数の指紋画像と順次に比較する。信号処理回路３２は、ステップＳ２−１０で記憶装置３３に取得した指紋画像と一致する指紋画像が存在するか否かを判定する。信号処理回路３２は、ステップＳ２−１０で記憶装置３３に取得した指紋画像と一致する指紋画像が存在しない場合には、ステップＳ２−１に戻って入力待ち状態とされる。
【００６７】
また、信号処理回路３２は、ステップＳ２−１０で記憶装置３３に取得した指紋画像と一致する指紋画像が存在する場合には、ステップＳ２−１１でホスト装置１２にアクセス許可通知を送信する。
【００６８】
ホスト装置１２は、画像読取装置１１からのアクセス許可通知によりファイル装置１３へのアクセスを許可する。
【００６９】
〔効果〕
本変形例によれば、一つのイメージセンサ４１２で静脈画像及び指紋画像の両方を検出できるので、安価に構成できる。
【００７０】
〔第５変形例〕
図１３は画像読取装置１１の第５変形例の断面図を示す。同図中、図５と同一構成部分には同一符号を付し、その説明は省略する。
【００７１】
本変形例の画像読取装置５１１は、イメージセンサ２６により指Ｆの第１関節と第２関節との間の領域ｆ１で静脈画像の検出を行い、イメージセンサ３０により、指Ｆの第１関節より先端の領域ｆ２で指紋画像の検出を行うようにイメージセンサ２６、３０を配置している。また、これに伴ってプリズム５２１は、矢印Ｙ１方向に延長した構成とされている。なお、被検出面５１２ａは、指Ｆの上記領域ｆ１及び領域ｆ２の両方を含むように延在している。第１の面５１２ｂは、被検出面５１２ａに平行で、かつ、領域ｆ１に対向するように延在している。
【００７２】
本変形例によれば、静脈画像と指紋画像とを指Ｆの異なる領域ｆ１、ｆ２で検出することにより、静脈画像及び指紋画像の各画像を確実に検出できるようになる。
【００７３】
〔第６変形例〕
図１４は画像読取装置１１の第６変形例の断面図を示す。同図中、図１３と同一構成部分には同一符号を付し、その説明は省略する。
【００７４】
本変形例の画像読取装置６１１は、静脈検出用の発光ダイオード６１２をプリズム５１２の被検出面５１２ａの上部、矢印Ｚ１方向側に、被検出面５１２ａに対向して配置した構成とされている。
【００７５】
発光ダイオード６１２は、血液中のヘモグロビンに反応する波長の光、例えば、赤外光を出射する。発光ダイオード６１２は、基板６１３上に搭載されている。基板６１３は、ネジ６１４によりシャーシ６１５に固定されている。シャーシ６１５は、例えば、金属板を打ち抜き、折曲することにより成形されており、ベース部６２１、アーム部６２２から構成されている。ベース部６２１には、メイン基板２３がネジ６２３により固定される。
【００７６】
アーム部６２２は、取付部６３１、支持部６３２及び保持部６３３から構成されている。取付部６３１は、ベース部６２１から直交する方向、矢印Ａ方向が矢印Ｚ１、Ｚ２方向に対して角度θだけ傾斜するように延在している。
【００７７】
取付部６３１には、ホルダ６４１がネジ６４２により固定されている。ホルダ６４２には、イメージセンサ３０が搭載されたサブ基板２８及びレンズ２９が取付部６３１に対して略平行となるように保持されている。
【００７８】
支持部６３２は、取付部６３１の先端からベース部６２１に対して矢印Ｚ１方向に延出している。保持部６３３は、支持部６３２の矢印Ｚ１方向の先端から矢印Ｘ２方向に延出している。これによって保持部６３３はベース部６２１に平行に配置される。基板６１３は、保持部６３３の矢印Ｚ２方向側にネジ６１４によって固定される。
【００７９】
基板６１３は、ワイヤ６５１によってメイン基板２３に接続されており、メイン基板２３に搭載された信号処理回路３２からの信号を発光ダイオード６１２に供給する。発光ダイオード６１２は、信号処理回路３２からの信号によって、発光する。発光ダイオード６１２で発光した光は、指Ｆの矢印Ｚ１方向側から指Ｆに入射され、指Ｆを透過して、プリズム５２１の被検出面５２１ａに供給される。このとき、被検出面５２１ａには、発光ダイオード６１２からの光は、血管内を流れる血液中のヘモグロビンに反応する。被検出面５２１ａに供給された光は、プリズム５２１を通って、第１の面５２１ｂに供給される。
【００８０】
第１の面２１ｂから出射された光は、赤外フィルタ２４により、赤外光だけが透過される。これによって、血管部分が他の部分と異なる画像が得られる。この画像によって、静脈画像が得られる。赤外フィルタ２４を通った光は、イメージセンサ２６に供給される。
【００８１】
以上のように本変形例によれば、発光ダイオード６１２を被検出面５１２ａに対向して設け、発光ダイオード６１２により発光した光を、指Ｆを透過させてイメージセンサ２６に供給することにより静脈画像を検出することにより、鮮明な静脈画像が得られる。また、指紋画像を取得する領域ｆ２とは異なる領域ｆ１での静脈画像を取得することにより、確実に静脈画像を取得できる。
【００８２】
〔第７変形例〕
図１５は画像読取装置１１の第７変形例の断面図を示す。同図中、図１３と同一構成部分には同一符号を付し、その説明は省略する。
【００８３】
本変形例の画像読取装置７１１は、プリズム７１２の構成が第５変形例とは相違する。本変形例のプリズム７１２は、発光ダイオード６１２と赤外フィルタ２４との間、領域ｆ１が切除され、指Ｆの領域ｆ２を透過した光が直接赤外フィルタ２４に供給される構成とされている。
【００８４】
本変形例によれば、静脈画像を検出するときに、プリズムによる損失を防止でき、静脈画像を精細に検出できる。
【００８５】
〔第８変形例〕
図１６は画像読取装置１１の第７変形例の断面図を示す。同図中、図２、図３と同一構成部分には同一符号を付し、その説明は省略する。
【００８６】
本変形例の画像読取装置８１１は、プリズム８２１、ホルダ８２２、メイン基板８２３、赤外フィルタ８２４、レンズ８２５、イメージセンサ８２６、発光ダイオード８２７、レンズ８２８、反射板８２９、イメージセンサ８３０、信号処理回路８３１、記憶装置８３２から構成される。
【００８７】
プリズム８２１は、少なくとも被検出面８２１ａ、及び、第１の面８２１ｂ、並びに、第２の面８２１ｃ、反射面８２１ｄを有する。プリズム８２１は、ホルダ８２２によって、被検出面８２１ａ及び第１の面８２１ｂがメイン基板８２３に対して略平行となるようにメイン基板８２３上に保持される。被検出面８２１ａは、矢印Ｚ１、Ｚ２方向に直交する面であり、矢印Ｘ１、Ｘ２方向に延在しており、被検出体である指Ｆが載置される。
【００８８】
第１の面８２１ｂは、被検出面８２１ａに平行で、かつ、被検出面８２１ａに対向する位置に配置された面であり、メイン基板８２３に対向して配置される。第１の面８２１ｂとメイン基板８２３との間には、赤外フィルタ８２４、レンズ８２５、イメージセンサ８２６、発光ダイオード８２７が配置される。
【００８９】
赤外フィルタ８２４は、第１の面８２１ｂから出射された光のうち赤外域の光のみを透過する。レンズ８２５は、赤外フィルタ８２４を透過した光をイメージセンサ８２６上に集束させる。レンズ８２５により集光された光は、イメージセンサ８２６に供給される。
【００９０】
イメージセンサ８２６には、第１の面８２１ｂ上の画像が投影される。イメージセンサ８２６は、第１の面８２１ｂ上の赤外画像を電気信号に変換する。
【００９１】
発光ダイオード８２７は、照明用の光源であり、赤外フィルタ８２４及びレンズ８２５の周囲に複数個配置されている。発光ダイオード８２７は、信号処理回路８３１から供給される駆動信号により赤外光を含む光を発光し、プリズム８２１の第１の面８２１ｂに向けて出射する。発光ダイオード８２７から第１の面８２１ｂに供給された光は、プリズム８２１を通って被検出面８２１ａに供給される。
【００９２】
静脈画像は、プリズム８２１内を矢印Ｚ２方向に透過して第１の面８２１ｂから出射される。第１の面８２１ｂから出射された画像は、赤外フィルタ８２４及びレンズ８２５を通ってイメージセンサ８２６に供給され、イメージセンサ８２６で電気信号に変換される。イメージセンサ８２６からの静脈画像に応じた電気信号は、信号処理回路８３１に供給される。
【００９３】
指紋画像は、プリズム８２１内を矢印Ｚ１方向に対して角度θで透過して、プリズム８２１の第１の面８２１ｂに入射する。このとき、角度θは、臨界角より大きく設定されている。このため、指紋画像は、プリズム８２１の第１の面８２１ｂで反射する。
【００９４】
第１の面８２１ｂで反射した指紋画像は、反射面８２１ｄに供給される。反射面８２１ｄは、矢印Ｚ１、Ｚ２方向対して傾斜して形成されており、アルミなどの反射材が蒸着された構成とされている。反射面８２１ｄは、第１の面８２１ｂで反射された指紋画像を矢印Ｙ２方向に反射する。
【００９５】
反射面８２１ｄで反射された指紋画像は、第２の面８２１ｃに供給される。第２の面８２１ｃには、レンズ８２８が設けられている。レンズ８２８は、第２の面８２１ｃから出射された光を集光する。レンズ８２８から出射された指紋画像は、反射板８２９に供給される。反射板８２９は、矢印Ｚ１、Ｚ２方向に対して上端が矢印Ｘ２方向、下端が矢印Ｘ１方向に変位した状態で、傾斜して配置されており、レンズ８２８からの指紋画像を矢印Ｚ２方向に反射する。
【００９６】
反射板８２９で反射された指紋画像は、イメージセンサ８３０に供給される。イメージセンサ８３０は、メイン基板８２３上にイメージセンサ８２６の矢印Ｘ１方向に並列に搭載されている。イメージセンサ８３０は、反射板８２９からの指紋画像を電気信号に変換し、信号処理回路８３１に供給する。
【００９７】
信号処理回路８３１は、イメージセンサ８２６、８３０からの静脈画像及び指紋画像により、例えば、図４に示すような手順にしたがって、認証処理を行う。
【００９８】
〔第９変形例〕
図１７は画像読取装置１１の第９変形例の断面図を示す。同図中、図１６と同一構成部分には同一符号を付し、その説明は省略する。
【００９９】
本変形例の画像読取装置９１１は、一つのイメージセンサ９１２をスライド機構９１３により第１の面８２１ｂの画像が投影される位置Ｐ１と第２の面８２１ｃの画像が反射板８２９により投影される位置Ｐ２との間でスライドさせることにより、一つのイメージセンサ９１２で静脈画像及び指紋画像を検出可能としたものである。
【０１００】
イメージセンサ９１２は、基板９２１上に搭載されている。基板９２１は、スライド機構９１３に係合しており、スライド機構９１３により矢印Ｘ１、Ｘ２方向にスライド可能とされている。また、基板９２１は、フレキシブル基板９２３によりメイン基板８２３に接続されている。フレキシブル基板９２３は、イメージセンサ９１２で検出された信号をメイン基板８２３に供給するための伝送線路である。
【０１０１】
なお、スライド機構９１３は、図８乃至図１１で説明したスライド機構４１３と同じ構成であるので、その説明は省略する。
【０１０２】
本変形例によれば、一つのイメージセンサ９１２で静脈画像及び指紋画像を検出することができる。
【０１０３】
〔第１０変形例〕
図１８は画像読取装置１１の第１０変形例の断面図を示す。同図中、図１６と同一構成部分には同一符号を付し、その説明は省略する。
【０１０４】
本変形例の画像読取装置１０１１は、プリズム１２の構成が図１６とは相違する。本変形例のプリズム１０１２は、第１の面１０１２ｂを凸状に成形することにより、レンズ８２５に相当するレンズ１０２１をプリズム１０１２に一体に成形するとともに、第２の面１０１２ｃを凸状に成形することにより、レンズ８２８に相当するレンズ１０２２をプリズム１０１２に一体に成形した構成とされている。
【０１０５】
本変形例によれば、レンズ８２５、８２８をプリズム１０１２に一体に成形することができるため、部品点数を低減できる。
【０１０６】
〔第１１変形例〕
図１９は画像読取装置１１の第１１変形例の断面図を示す。同図中、図１６と同一構成部分には同一符号を付し、その説明は省略する。
【０１０７】
本変形例の画像読取装置１１１１は、静脈検出用の発光ダイオード１１１２をプリズム８２１の被検出面８２１ａの上部、矢印Ｚ１方向側に、被検出面８２１ａに対向して配置した構成としてなる。
【０１０８】
発光ダイオード１１１２は、血液中のヘモグロビンに反応する波長の光、例えば、赤外光を出射する。発光ダイオード１１１２は、基板１１１３上に搭載されている。基板１１１３は、ネジ１１１４によりシャーシ１１１５に固定されている。シャーシ１１１５は、例えば、金属板を打ち抜き、折曲することにより成形されており、ベース部１１２１、アーム部１１２２から構成されている。ベース部１１２１には、メイン基板８２３がネジ１１２３により固定される。
【０１０９】
アーム部１１２２は、支持部１１３１及び保持部１１３２から構成されている。支持部１１３１は、ベース部１１２１から矢印Ｚ１方向に延出している。保持部１１３２は、支持部１１３１の矢印Ｚ１方向の先端から矢印Ｘ２方向に延出している。これによって保持部１１３２はベース部１１２１に平行に配置される。基板１１１３は、保持部１１３２の矢印Ｚ２方向側にネジ１１１４によって固定される。
【０１１０】
基板１１１３は、ワイヤ１１４１によってメイン基板８２３に接続されており、メイン基板８２３に搭載された信号処理回路３２からの信号を発光ダイオード１１１２に供給する。発光ダイオード１１１２は、信号処理回路３２からの信号によって、発光する。発光ダイオード１１１２で発光した光は、指Ｆの矢印Ｚ１方向側から指Ｆに入射され、指Ｆを透過して、プリズム８２１の被検出面８２１ａに供給される。このとき、被検出面８２１ａには、発光ダイオード１１１２からの光は、血管内を流れる血液中のヘモグロビンに吸収される。被検出面８２１ａに供給された光は、プリズム８２１を通って、第１の面８２１ｂに供給される。
【０１１１】
第１の面８２１ｂから出射された光は、赤外フィルタ８２４により、赤外光だけが透過される。これによって、血管部分が黒くなった画像が得られる。赤外フィルタ８２４を通った光は、イメージセンサ８２６に供給される。
【０１１２】
以上のように本変形例によれば、発光ダイオード１１１２を設け、指Ｆの透過光により静脈画像を検出することができる。
【０１１３】
〔第１２変形例〕
図２０は画像読取装置１１の第１２変形例の断面図を示す。同図中、図１６と同一構成部分には同一符号を付し、その説明は省略する。
【０１１４】
本変形例の画像読取装置１２１１は、メイン基板８２３の指Ｆの延在方向、矢印Ｙ１、Ｙ２方向にイメージセンサ８２１、８２２を配置した構成とされている。イメージセンサ５２１は、指Ｆの第１関節と第２関節との間の領域ｆ１で静脈画像の検出を行う。また、イメージセンサ５２２は、指Ｆの第１関節より先端の領域ｆ２で指紋画像の検出を行う。
【０１１５】
本変形例によれば、静脈画像と指紋画像とを指Ｆの異なる領域ｆ１、ｆ２で検出することにより、各画像を確実に検出できる。
【０１１６】
〔第１３変形例〕
図２１は画像読取装置１１の第１３変形例の断面図を示す。同図中、図２０と同一構成部分には同一符号を付し、その説明は省略する。
【０１１７】
本変形例の画像読取装置１３１１は、静脈検出用の発光ダイオード１３１２をプリズム８２１の被検出面８２１ａの上部、矢印Ｚ１方向側に、被検出面８２１ａに対向して配置してなる。
【０１１８】
発光ダイオード１３１２は、血液中のヘモグロビンなどの成分に反応する波長の光、例えば、赤外光を出射する。発光ダイオード１３１２は、基板１３１３上に搭載されている。基板１３１３は、ネジ１３１４によりシャーシ１３１５に固定されている。シャーシ１３１５は、例えば、金属板を打ち抜き、折曲することにより成形されており、ベース部１３２１、アーム部１３２２から構成されている。ベース部１３２１には、メイン基板１３２３がネジ１３２３により固定される。
【０１１９】
アーム部１３２２は、支持部１３３１及び保持部１３３２から構成されている。支持部１３３１は、ベース部１３２１から矢印Ｚ１方向に延出している。保持部１３３２は、支持部１３３１の矢印Ｚ１方向の先端から矢印Ｘ２方向に延出している。これによって保持部１３３２はベース部１３２１に平行に配置される。
【０１２０】
基板１３１３は、ワイヤ１３４１によってメイン基板８２３に接続されており、メイン基板８２３に搭載された信号処理回路３２からの信号を発光ダイオード１３１２に供給する。発光ダイオード１３１２は、信号処理回路８３２からの信号によって、発光する。発光ダイオード１３１２で発光した光は、指Ｆの矢印Ｚ１方向側から指Ｆに入射され、指Ｆを透過して、プリズム８２１の被検出面８２１ａに供給される。このとき、被検出面８２１ａには、発光ダイオード１３１２からの光は、血管内を流れる血液中のヘモグロビンなどの成分に反応する。被検出面８２１ａに供給された光は、プリズム８２１を通って、第１の面８２１ｂに供給される。
【０１２１】
第１の面８２１ｂから出射された光は、赤外フィルタ８２４により、赤外光だけが透過される。これによって、血管部分が他の部分と異なる画像が得られる。赤外フィルタ８２４を通った光は、イメージセンサ８２６に供給される。
【０１２２】
以上のように本変形例によれば、発光ダイオード１３１２を設け、指Ｆの透過光により静脈画像を検出することができる。また、静脈画像を指Ｆの領域ｆ１から取得し、指紋画像を指Ｆの領域ｆ２から取得することができるので、各画像を鮮明に取得できる。
【０１２３】
〔第１４変形例〕
図２２は画像読取装置１１の第１４変形例の断面図を示す。同図中、図２１と同一構成部分には同一符号を付し、その説明は省略する。
【０１２４】
本変形例の画像読取装置１４１１は、プリズム１４２１を被検出面１４２１ａが指Ｆの領域ｆ２にのみかかり、指Ｆの領域ｆ１の下部にはプリズムが位置しないように成形してなる。プリズム１４２１は、第１の面１４２１ｂに発光ダイオード８２７から照明用の光が入射する。第１の面１４２１ｂに入射した光は、被検出面１４２１ａに供給される。被検出面１４２１ａには、指Ｆの領域ｆ２が載置されており、発光ダイオード８２７からの光が指Ｆの領域ｆ２に照射される。指Ｆの領域ｆ２に照射された光は、指紋の形状に応じて被検出面１４２１ａで反射又は透過され、指紋画像を得られる。被検出面１４２１ａに発生した指紋画像は、第１の面１４２１ｂに臨界角より大きい角度で入射される。これによって、第１の面１４２１ｂに供給された指紋画像は、反射面１４２１ｄ方向に反射する。反射面１４２１ｄに入射した指紋画像は、さらに、反射面１４２１ｄで反射される。反射面１４２１ｄで反射された指紋画像は、第２の面１４２１ｃに供給され、レンズ８２８、反射板８２９を介してイメージセンサ８３０に供給される。
【０１２５】
なお、発光ダイオード１２１４の光は、指Ｆの領域ｆ１を透過する。指Ｆの領域ｆ１を透過した光は、直接、赤外フィルタ８２４に入射する。赤外フィルタ８２４に入射した光は、レンズ８２５によりイメージセンサ８２６上に結像され、イメージセンサ８２６の検出面に静脈画像か投影される。このとき、静脈画像はプリズム１４２１による損失なくイメージセンサ８２６に供給することができるので、より明瞭な画像を取得することができる。
【０１２６】
なお、第１０乃至第１４変形例においても、２つのイメージセンサは一つのメイン基板上に搭載されているので、第９変形例と同様に、スライド機構９１３を搭載することにより一つのイメージセンサ９１２により静脈画像及び指紋画像を検出できるように構成できることは言うまでもない。
【０１２７】
〔その他〕
なお、本実施例では、信号処理回路３２は、静脈画像と指紋画像の両方が承認されたとき、承認通知をホスト装置１２に発行するようにしたが、静脈画像又は指紋画像のいずれか一方で承認が行なわれたとき、承認通知をホスト装置１２に発行するようにしてもよい。
【０１２８】
図２３は信号処理回路３２の変形例の処理フローチャートを示す。
【０１２９】
信号処理回路３２は、ステップＳ３−１では入力待ち状態であり、プリズム２１の被検出面２１ａに指Ｆが載置されたか否かを監視している。信号処理回路３２は、ステップＳ３−２でプリズム２１の被検出面２１ａに指Ｆが載置されたことが検出されると、ステップＳ３−３で、静脈画像による認証処理を指紋画像による認証処理より先に実行するか否かを判定する。静脈画像による認証処理を先に行うか、指紋画像による認証処理より先に行うかについては、設定動作により予め設定されている。設定動作は、ホスト装置１２からプログラムにより行ったたり、画像読取装置１１にスイッチなどを設けて、そのスイッチの切換により行う。
【０１３０】
信号処理回路３２は、ステップＳ３−３で、静脈画像による認証処理を指紋画像による認証処理より先に実行すると判定した場合には、次にステップＳ３−４で発光ダイオード２７を点灯状態に維持し、イメージセンサ２６で検出された電気信号を取り込み、画像生成処理を行うことにより静脈画像を取得する。
【０１３１】
信号処理回路３２は、ステップＳ３−５で、取得した静脈画像を記憶装置３３に予め登録された一又は複数の静脈画像と順次に比較する。信号処理回路３２は、ステップＳ３−６で、記憶装置３３に取得した静脈画像と一致する静脈画像が存在するか否かを判定する。
【０１３２】
信号処理回路３２は、ステップＳ３−６で、記憶装置３３に取得した静脈画像と一致する静脈画像が存在する場合には、ステップＳ３−10でホスト装置１２にアクセス許可通知を送信し、処理を終了する。
【０１３３】
また、信号処理回路３２は、ステップＳ３−６で、記憶装置３３に取得した静脈画像と一致する静脈画像が存在しない場合には、ステップＳ３−７でイメージセンサ３０で検出された電気信号を取り込み、画像生成処理を行うことにより指紋画像を取得する。
【０１３４】
信号処理回路３２は、ステップＳ３−８で、取得記憶装置３３に予め登録された一又は複数の指紋画像と順次に比較する。信号処理回路３２は、ステップＳ３−９で、記憶装置３３に取得した指紋画像と一致する指紋画像が存在するか否かを判定する。信号処理回路３２は、ステップＳ３−９で、記憶装置３３に取得した指紋画像と一致する指紋画像が存在しない場合には、ステップＳ３−１に戻って入力待ち状態とされる。
【０１３５】
また、信号処理回路３２は、ステップＳ３−９で、記憶装置３３に取得した指紋画像と一致する指紋画像が存在する場合には、ステップＳ３−１０で、ホスト装置１２にアクセス許可通知を送信する。
【０１３６】
また、信号処理回路３２は、ステップＳ３−３で、静脈画像による認証処理を指紋画像による認証処理より先に行わないと判定した場合には、次にステップＳ３−１１で、発光ダイオード２７を点灯状態に維持し、イメージセンサ３０で検出された電気信号を取り込み、画像生成処理を行うことにより指紋画像を取得する。
【０１３７】
信号処理回路３２は、ステップＳ３−１２で、取得した指紋画像を記憶装置３３に予め登録された一又は複数の静脈画像と順次に比較する。信号処理回路３２は、ステップＳ３−１３で、記憶装置３３に取得した指紋画像と一致する指紋画像が存在するか否かを判定する。
【０１３８】
信号処理回路３２は、ステップＳ３−１３で、記憶装置３３に取得した指紋画像と一致する指紋画像が存在する場合には、ステップＳ３−１４でホスト装置１２にアクセス許可通知を送信し、処理を終了する。
【０１３９】
また、信号処理回路３２は、ステップＳ３−１３で、記憶装置３３に取得した指紋画像と一致する指紋画像が存在しない場合には、ステップＳ３−１４で、イメージセンサ２６で検出された電気信号を取り込み、画像生成処理を行うことにより静脈画像を取得する。
【０１４０】
信号処理回路３２は、ステップＳ３−１５で、取得記憶装置３３に予め登録された一又は複数の静脈画像と順次に比較する。信号処理回路３２は、ステップＳ３−１６で、記憶装置３３に取得した静脈画像と一致する静脈画像が存在するか否かを判定する。信号処理回路３２は、ステップＳ３−１６で、記憶装置３３に取得した静脈画像と一致する静脈画像が存在しない場合には、ステップＳ３−１に戻って入力待ち状態とされる。
【０１４１】
また、信号処理回路３２は、ステップＳ３−１６で、記憶装置３３に取得した静脈画像と一致する静脈画像が存在する場合には、ステップＳ３−１０でホスト装置１２にアクセス許可通知を送信する。
【０１４２】
ホスト装置１２は、画像読取装置１１からのアクセス許可通知によりファイル装置１３へのアクセスを許可する。
【０１４３】
なお、本実施例では、認証処理を信号処理回路３２で行ったが、画像読取装置１１で検出した静脈画像及び指紋画像をホスト装置１２に供給し、ホスト装置１２側で認証処理を行うようにしてもよいことは言うまでもない。
【図面の簡単な説明】
【０１４４】
【図１】本発明の一実施例のシステム構成図である。
【図２】画像読取装置１１の分解斜視図である。
【図３】画像読取装置１１の断面図である。
【図４】信号処理回路３２の処理フローチャートである。
【図５】画像読取装置１１の第１変形例の断面図である。
【図６】画像読取装置１１の第２変形例の断面図である。
【図７】画像読取装置１１の第３変形例の断面図である。
【図８】画像読取装置１１の第４変形例の断面図である。
【図９】スライド機構４１３の斜視図である。
【図１０】スライド機構４１３の断面図である。
【図１１】スライド機構４１３の分解斜視図である。
【図１２】信号処理回路３２の処理フローチャートである。
【図１３】画像読取装置１１の第５変形例の断面図である。
【図１４】画像読取装置１１の第６変形例の断面図である。
【図１５】画像読取装置１１の第７変形例の断面図である。
【図１６】画像読取装置１１の第８変形例の断面図である。
【図１７】画像読取装置１１の第９変形例の断面図である。
【図１８】画像読取装置１１の第１０変形例の断面図である。
【図１９】画像読取装置１１の第１１変形例の断面図である。
【図２０】画像読取装置１１の第１２変形例の断面図である。
【図２１】画像読取装置１１の第１３変形例の断面図である。
【図２２】画像読取装置１１の第１４変形例の断面図である。
【図２３】信号処理回路３２の変形例の処理フローチャートである。
【符号の説明】
【０１４５】
１  生体認証装置
１１、１１１、２１１、３１１、４１１、５１１、６１１、７１１、８１１、９１１、１０１１、１１１１、１２１１、１３１１、１４１１  画像読取装置、１２  ホスト装置
１３  ファイル装置
２１  プリズム、２２  ホルダ、２３  メイン基板、２６、３０  イメージセンサ
２７  発光ダイオード、２８  サブ基板、２９  レンズ
２１ａ  被検出面、２１ｂ  第１の面、２１ｃ  第２の面
３２  信号処理回路、３３  記憶装置
４１３  スライド機構
【図１】
2006065400.tif 000003
【図２】
2006065400.tif 000004
【図３】
2006065400.tif 000005
【図４】
2006065400.tif 000006
【図５】
2006065400.tif 000007
【図６】
2006065400.tif 000008
【図７】
2006065400.tif 000009
【図８】
2006065400.tif 000010
【図９】
2006065400.tif 000011
【図１０】
2006065400.tif 000012
【図１１】
2006065400.tif 000013
【図１２】
2006065400.tif 000014
【図１３】
2006065400.tif 000015
【図１４】
2006065400.tif 000016
【図１５】
2006065400.tif 000017
【図１６】
2006065400.tif 000018
【図１７】
2006065400.tif 000019
【図１８】
2006065400.tif 000020
【図１９】
2006065400.tif 000021
【図２０】
2006065400.tif 000022
【図２１】
2006065400.tif 000023
【図２２】
2006065400.tif 000024
【図２３】
2006065400.tif 000025